【手続補正書】
【提出日】平成31年2月18日(2019.2.18)
【手続補正１】
【補正対象書類名】特許請求の範囲
【補正対象項目名】全文
【補正方法】変更
【補正の内容】
【特許請求の範囲】
【請求項１】
記録材が載置される載置部と、
前記載置部に載置された記録材を給送する給送部材と、
前記給送部材によって給送された記録材を搬送する搬送部材と、
前記搬送部材とニップ部を形成し、前記ニップ部において複数の記録材を分離する分離部材と、
複数の記録材が前記ニップ部に給送されたことを検知する検知部と、
前記載置部から給送された記録材に画像を形成する画像形成部と、を有する画像形成装置において、
前記給送部材によって前記載置部に載置された記録材の給送を開始させ、前記給送している記録材の後端が前記給送部材を通過する前に、前記給送部材による給送動作を終了させる第一の制御と、
前記給送部材によって前記載置部に載置された記録材の給送を開始させ、前記給送している記録材の後端が前記給送部材を通過した後に、前記検知部によって複数の記録材が前記ニップ部に給送されたことを検知したことを条件に、前記給送部材による給送動作を終了させる第二の制御を切り替える制御部と、を有することを特徴とする画像形成装置。
【請求項２】
前記第一の制御は、前記給送部材によって前記載置部に載置された記録材の給送が開始されてから所定時間が経過したタイミングで前記給送部材による給送動作を終了させる制御であることを特徴とする請求項１に記載の画像形成装置。
【請求項３】
前記ニップ部よりも記録材の給送方向における下流側の位置に記録材が到達したか否かを検知する記録材検知部と、を有し、
前記第一の制御は、前記給送部材によって前記載置部に載置された記録材の給送を開始させ、前記記録材検知部が記録材を検知したタイミングに応じて前記給送部材による給送動作を終了させる制御であることを特徴とする請求項１に記載の画像形成装置。
【請求項４】
前記第二の制御は、前記給送部材によって前記載置部に載置された記録材の給送を開始させ、前記検知部によって複数の記録材が前記ニップ部に給送されたことを検知したタイミングで前記給送部材による給送動作を終了させる制御であることを特徴とする請求項１乃至３のいずれか１項に記載の画像形成装置。
【請求項５】
二枚以上の記録材を連続して前記載置部から給送させる場合、前記制御部は、前記載置部から給送される記録材の順番に基づいて、前記第一の制御と前記第二の制御を切り替えることを特徴とする請求項１乃至４のいずれか１項に記載の画像形成装置。
【請求項６】
前記制御部は、１つのジョブの中において、前記載置部から給送される順番が最後ではない記録材を前記第二の制御で給送させ、１つのジョブの中において、前記載置部から給送される順番が最後である記録材を前記第一の制御で給送させることを特徴とする請求項５に記載の画像形成装置。
【請求項７】
第一の載置部と、第二の載置部を有し、
前記制御部は、前記第一の載置部から給送される記録材の内、１つのジョブの中において、前記第一の載置部から給送される順番が最後ではない記録材と、前記第二の載置部から給送される記録材の内、１つのジョブの中において、前記第二の載置部から給送される順番が最後ではない記録材を前記第二の制御で給送させ、１つのジョブの中において、前記第一の載置部から給送される順番が最後である記録材と、１つのジョブの中において、前記第二の載置部から給送される順番が最後である記録材を前記第一の制御で給送させることを特徴とする請求項５に記載の画像形成装置。
【請求項８】
二枚以上の記録材を連続して前記載置部から給送させる場合、前記制御部は、前記画像形成部によって記録材に画像を形成するための画像形成条件に基づいて、前記第一の制御と前記第二の制御を切り替えることを特徴とする請求項１乃至４のいずれか１項に記載の画像形成装置。
【請求項９】
前記載置部から給送される第一の記録材に対する前記画像形成条件と前記第一の記録材の次に給送される第二の記録材に対する前記画像形成条件が同じ場合、前記制御部は前記第一の記録材を前記第二の制御で給送させ、前記第一の記録材に対する前記画像形成条件と前記第二の記録材に対する前記画像形成条件が異なる場合、前記制御部は前記第一の記録材を前記第一の制御で給送させることを特徴とする請求項８に記載の画像形成装置。
【請求項１０】
前記画像形成部は、帯電された像担持体に光を照射する露光部と、前記像担持体から記録材に転写された画像を前記記録材に定着する定着部と、を含み、
前記画像形成条件とは、記録材の給送速度、前記露光部から前記像担持体に照射される光量、前記定着部の定着温度を含むことを特徴とする請求項９に記載の画像形成装置。
【請求項１１】
一枚の記録材を前記載置部から給送させる場合、前記制御部は前記一枚の記録材を前記第一の制御で給送させることを特徴とする請求項１乃至１０のいずれか１項に記載の画像形成装置。
【請求項１２】
前記第二の制御は、前記給送部材によって前記載置部に載置された記録材の給送を開始させ、前記検知部によって複数の記録材が前記ニップ部に給送されたことを検知し、かつ前記記録材検知部が記録材を検知したタイミングで前記給送部材による給送動作を終了させる制御であることを特徴とする請求項３に記載の画像形成装置。
【請求項１３】
前記制御部は前記載置部に載置された記録材を前記第二の制御で給送させ、前記給送部材によって前記載置部に載置された記録材の給送を開始してから第一の閾値時間が経過するまでに前記記録材検知部によって記録材が検知されない場合、前記給送部材による給送動作を一旦、終了させ、記録材を前記第一の制御で再度給送させることを特徴とする請求項１２に記載の画像形成装置。
【請求項１４】
前記制御部は前記載置部に載置された記録材を前記第二の制御で給送させ、前記給送部材によって前記載置部に載置された記録材の給送を開始してから第二の閾値時間が経過するまでに前記記録材検知部によって記録材が検知されない場合、前記給送部材による給送動作を終了させることなく、記録材を前記第一の制御で給送させることを特徴とする請求項１２に記載の画像形成装置。
【請求項１５】
前記給送部材によって前記載置部に載置された記録材の給送を開始してから第三の閾値時間が経過するまでに前記記録材検知部によって記録材が検知されなかった回数を記憶する記憶部を有し、
前記制御部は、前記記憶部に記憶された前記回数が所定の閾値回数よりも少ない場合、記録材を前記第二の制御で給送させ、前記記憶部に記憶された前記回数が前記所定の閾値回数よりも多い場合、記録材を前記第一の制御で給送させることを特徴とする請求項１２に記載の画像形成装置。
【請求項１６】
前記制御部は、前記給送部材の回転を停止させる、又は前記給送部材と前記載置部に載置された記録材を離間させることによって、前記給送部材による給送動作を終了させることを特徴とする請求項１乃至１５のいずれか１項に記載の画像形成装置。
【請求項１７】
１枚の記録材が前記ニップ部に給送された場合、前記分離部材は前記１枚の記録材を給送するように所定の方向へ回転し、複数の記録材が前記ニップ部に給送された場合、前記分離部材は前記複数の記録材のうち１枚の記録材を給送して残りの記録材の給送を妨げるように、回転を停止又は前記所定の方向とは反対の方向へ回転し、
前記検知部は、前記分離部材の回転状態を検知する回転検知部であって、
前記回転検知部によって前記分離部材が回転を停止又は前記反対の方向へ回転していることを検知したことによって、前記複数の記録材が前記ニップ部に給送されたことを検知することを特徴とする請求項１乃至１６のいずれか１項に記載の画像形成装置。
【請求項１８】
記録材が載置される載置部
前記載置部に載置された記録材を給送する給送部材と、
前記給送部材によって給送された記録材を搬送する搬送部材と、
前記搬送部材とニップ部を形成し、前記ニップ部において複数の記録材を分離する分離部材と、
複数の記録材が前記ニップ部に給送されたことを検知する検知部と、を有する給送装置において、
前記給送部材によって前記載置部に載置された記録材の給送を開始させ、前記給送している記録材の後端が前記給送部材を通過する前に、前記給送部材による給送動作を終了させる第一の制御と、
前記給送部材によって前記載置部に載置された記録材の給送を開始させ、前記給送している記録材の後端が前記給送部材を通過した後に、前記検知部によって複数の記録材が前記ニップ部に給送されたことを検知したことを条件に、前記給送部材による給送動作を終了させる第二の制御を切り替える制御部と、を有することを特徴とする給送装置。
【請求項１９】
前記第一の制御は、前記給送部材によって前記載置部に載置された記録材の給送が開始されてから所定時間が経過したタイミングで前記給送部材による給送動作を終了させる制御であることを特徴とする請求項１８に記載の給送装置。
【請求項２０】
前記ニップ部よりも記録材の給送方向における下流側の位置に記録材が到達したか否かを検知する記録材検知部と、を有し、
前記第一の制御は、前記給送部材によって前記載置部に載置された記録材の給送を開始させ、前記記録材検知部が記録材を検知したタイミングに応じて前記給送部材による給送動作を終了させる制御であることを特徴とする請求項１８に記載の給送装置。
【請求項２１】
前記第二の制御は、前記給送部材によって前記載置部に載置された記録材の給送を開始させ、前記検知部によって複数の記録材が前記ニップ部に給送されたことを検知したタイミングで前記給送部材による給送動作を終了させる制御であることを特徴とする請求項１８に記載の給送装置。
【請求項２２】
前記制御部は、前記給送部材の回転を停止させる、又は前記給送部材と前記載置部に載置された記録材を離間させることによって、前記給送部材による給送動作を終了させることを特徴とする請求項１８に記載の給送装置。
【請求項２３】
１枚の記録材が前記ニップ部に給送された場合、前記分離部材は前記１枚の記録材を給送するように所定の方向へ回転し、複数の記録材が前記ニップ部に給送された場合、前記分離部材は前記複数の記録材のうち１枚の記録材を給送して残りの記録材の給送を妨げるように、回転を停止又は前記所定の方向とは反対の方向へ回転し、
前記検知部は、前記分離部材の回転状態を検知する回転検知部であって、
前記回転検知部によって前記分離部材が回転を停止又は前記反対の方向へ回転していることを検知したことによって、前記複数の記録材が前記ニップ部に給送されたことを検知することを特徴とする請求項１８に記載の給送装置。
【手続補正２】
【補正対象書類名】明細書
【補正対象項目名】０００８
【補正方法】変更
【補正の内容】
【０００８】
上記の目的を達成するための本発明の画像形成装置は、記録材が載置される載置部と、
前記載置部に載置された記録材を給送する給送部材と、前記給送部材によって給送された記録材を搬送する搬送部材と、前記搬送部材とニップ部を形成し、前記ニップ部において複数の記録材を分離する分離部材と、複数の記録材が前記ニップ部に給送されたことを検知する検知部と、前記載置部から給送された記録材に画像を形成する画像形成部と、を有する画像形成装置において、前記給送部材によって前記載置部に載置された記録材の給送を開始させ、前記給送している記録材の後端が前記給送部材を通過する前に、前記給送部材による給送動作を終了させる第一の制御と、前記給送部材によって前記載置部に載置された記録材の給送を開始させ、前記給送している記録材の後端が前記給送部材を通過した後に、前記検知部によって複数の記録材が前記ニップ部に給送されたことを検知したことを条件に、前記給送部材による給送動作を終了させる第二の制御を切り替える制御部と、を有することを特徴とする。
また上記の目的を達成するための本発明の給送装置は、記録材が載置される載置部と、前記載置部に載置された記録材を給送する給送部材と、前記給送部材によって給送された記録材を搬送する搬送部材と、前記搬送部材とニップ部を形成し、前記ニップ部において複数の記録材を分離する分離部材と、複数の記録材が前記ニップ部に給送されたことを検知する検知部と、を有する給送装置において、前記給送部材によって前記載置部に載置された記録材の給送を開始させ、前記給送している記録材の後端が前記給送部材を通過する前に、前記給送部材による給送動作を終了させる第一の制御と、前記給送部材によって前記載置部に載置された記録材の給送を開始させ、前記給送している記録材の後端が前記給送部材を通過した後に、前記検知部によって複数の記録材が前記ニップ部に給送されたことを検知したことを条件に、前記給送部材による給送動作を終了させる第二の制御を切り替える制御部と、を有することを特徴とする。